(57)【要約】【課題】電気泳動パネルの画面内での不均一な劣化の進行を低減できるウェアラブル装置及び制御方法等を提供すること。【解決手段】ウェアラブル装置１００は、電気泳動パネル１４０と、電気泳動パネル１４０の表示処理を行う処理回路１１０と、を含む。処理回路１１０は、ユーザーの活動状態が、第１の状態から第１の状態とは異なる第２の状態に遷移したと判断されるとき、第１の状態で行う第１の表示処理とは異なる第２の表示処理を行う。【選択図】図１
2019007751.tif 000002
【特許請求の範囲】
【請求項１】
電気泳動パネルと、
前記電気泳動パネルの表示処理を行う処理回路と、
を含み、
前記処理回路は、
ユーザーの活動状態が、第１の状態から前記第１の状態とは異なる第２の状態に遷移したと判断されるとき、前記第１の状態で行う第１の表示処理とは異なる第２の表示処理を行うことを特徴とするウェアラブル装置。
【請求項２】
請求項１において、
前記処理回路は、
前記活動状態が前記第２の状態であると判定されたとき、前記第２の表示処理として、前記電気泳動パネルの表示を更新する表示更新処理を行うことを特徴とするウェアラブル装置。
【請求項３】
請求項２において、
前記処理回路は、
前記活動状態が前記第１の状態から前記第２の状態に遷移したと判定された後、所定の時間が経過したとき、前記表示更新処理を停止することを特徴とするウェアラブル装置。
【請求項４】
請求項１乃至３のいずれか一項において、
前記処理回路は、
前記活動状態が前記第１の状態であると判定されたとき、
前記電気泳動パネルに表示される表示オブジェクトの表示更新処理を停止する、
又は前記表示オブジェクトの更新頻度を、前記活動状態が前記第１の状態であると判定されたときの第１の更新頻度よりも低い第２の更新頻度に設定することを特徴とするウェアラブル装置。
【請求項５】
請求項４において、
前記処理回路は、
前記活動状態が前記第１の状態であると判定されたとき、
前記電気泳動パネルに表示される第１の表示オブジェクトと第２の表示オブジェクトのうち、相対的に更新頻度が高い表示オブジェクトの表示更新を停止する、
又は前記更新頻度が高い表示オブジェクトの更新頻度を前記第２の更新頻度に設定することを特徴とするウェアラブル装置。
【請求項６】
請求項１乃至３のいずれか一項において、
前記処理回路は、
前記活動状態が前記第１の状態であると判定されたとき、前記電気泳動パネルに所与の静止画像を表示させる、又は表示をオフにすることを特徴とするウェアラブル装置。
【請求項７】
請求項１乃至３のいずれか一項において、
前記処理回路は、
前記活動状態が前記第１の状態であると判定されたとき、前記活動状態が前記第２の状態から前記第１の状態に遷移した際に前記電気泳動パネルに表示された画像の表示を維持することを特徴とするウェアラブル装置。
【請求項８】
請求項１乃至３のいずれか一項において、
前記処理回路は、
前記活動状態が前記第１の状態であると判定されたとき、前記電気泳動パネルのリフレッシュ処理を行うことを特徴とするウェアラブル装置。
【請求項９】
請求項１乃至３のいずれか一項において、
前記処理回路は、
前記活動状態が前記第２の状態であると判定されたとき、前記電気泳動パネルの所与の表示領域に表示される表示オブジェクトの表示更新処理を行い、
前記活動状態が前記第１の状態であると判定されたとき、前記所与の表示領域以外の表示領域の前記表示更新処理を行うことをウェアラブル装置。
【請求項１０】
請求項９において、
前記第２の状態において前記所与の表示領域が表示更新される回数と、前記第１の状態において前記所与の表示領域以外の表示領域が表示更新される回数と、が同じであることを特徴とするウェアラブル装置。
【請求項１１】
請求項１乃至３のいずれか一項において、
前記表示処理に基づいて前記電気泳動パネルを駆動する駆動回路を含み、
前記処理回路は、
前記活動状態が前記第１の状態であると判定されたとき、前記駆動回路を動作オフ状態に設定することを特徴とするウェアラブル装置。
【請求項１２】
請求項１乃至３のいずれか一項において、
前記処理回路は、
前記電気泳動パネルに表示される第１の表示オブジェクトと第２の表示オブジェクトのうち、相対的に更新頻度が高い表示オブジェクトの表示態様を、
前記活動状態が前記第１の状態であると判定されたとき第１の表示態様に設定し、
前記活動状態が前記第２の状態であると判定されたとき前記第１の表示態様とは異なる第２の表示態様に設定することを特徴とするウェアラブル装置。
【請求項１３】
請求項１乃至３のいずれか一項において、
前記処理回路は、
前記活動状態が前記第２の状態であると判定されたとき、前記電気泳動パネルに第１の表示コンテンツを表示させ、
前記活動状態が前記第１の状態に遷移した後に前記第２の状態に遷移したと判定されたとき、前記電気泳動パネルに前記第１の表示コンテンツとは異なる第２の表示コンテンツを表示させることを特徴とするウェアラブル装置。
【請求項１４】
請求項１乃至１３のいずれか一項において、
前記電気泳動パネルを照明する光源を含み、
前記処理回路は、
前記活動状態が前記第１の状態であると判定されたとき、前記光源をオフすることを特徴とするウェアラブル装置。
【請求項１５】
請求項１において、
前記第２の状態は、前記ユーザーの活動量が前記第１の状態とは異なる状態であり、
前記処理回路は、
前記活動状態が前記第１の状態であると判定されたとき、前記電気泳動パネルに第１の表示コンテンツを表示させ、
前記活動状態が前記第２の状態であると判定されたとき、前記電気泳動パネルに前記第１の表示コンテンツとは異なる第２の表示コンテンツを表示させることを特徴とするウェアラブル装置。
【請求項１６】
請求項１において、
前記第２の状態は、前記ユーザーが前記電気泳動パネルを目視したと判断される状態であり、
前記活動状態は、前記ユーザーの活動量が互いに異なる第３の状態と第４の状態とを含み、
前記処理回路は、
前記活動状態が前記第３の状態と判定されたとき、第１の判定処理で目視の状態を検出し、
前記活動状態が前記第４の状態と判定されたとき、前記第１の判定処理とは異なる第２の判定処理で前記目視の状態を検出することを特徴とするウェアラブル装置。
【請求項１７】
請求項１乃至１６のいずれか一項において、
前記処理回路は、
前記ユーザーに装着されているウェアラブル装置の姿勢及び動きの少なくとも一方に基づいて前記活動状態を判定することを特徴とするウェアラブル装置。
【請求項１８】
請求項１７において、
前記処理回路は、
前記ウェアラブル装置の姿勢及び動きの少なくとも一方に基づいて、前記活動状態を前記ユーザーが前記電気泳動パネルを目視した状態と判定することを特徴とするウェアラブル装置。
【請求項１９】
電気泳動パネルを含むウェアラブル装置の制御方法であって、
ユーザーの活動状態が、第１の状態から前記第１の状態とは異なる第２の状態に遷移したと判断されるとき、前記第１の状態で行う第１の表示処理とは異なる第２の表示処理を行うことを特徴とする制御方法。
【発明の詳細な説明】
【技術分野】
【０００１】
本発明は、ウェアラブル装置及び制御方法等に関する。
【背景技術】
【０００２】
ユーザーが身につけて使用し、例えば装置内部で生成した情報やセンサー等により検出した情報等をユーザーに提示するウェアラブル装置が知られている。ウェアラブル装置の一例として、例えば特許文献１にはデジタル表示式の腕時計が開示されている。またウェアラブル装置としては、例えば脈拍計、歩数計、活動量計等のウェアラブル健康機器（生体情報検出装置）等がある。
【０００３】
また、いわゆる電子ペーパーの表示パネルの一種として電気泳動パネルが知られている。例えば特許文献２には、対向して配置されている一対の基板の間に単位セルが配置され、単位セル内には、分散媒と、色（例えば白と黒）及び帯電特性（正と負）が互いに異なる粒子群とが含まれる電気泳動パネルが開示されている。或いは特許文献３には、対向して配置される第１基板と第２基板の間に、隔壁で区切られた複数のセルが配置され、各セル内には、分散媒と、色（例えば白と黒）及び帯電特性（正と負）が互いに異なる粒子群とが含まれる電気泳動パネルが開示されている。
【先行技術文献】
【特許文献】
【０００４】
【特許文献１】特開２００５−１７０２１号公報
【特許文献２】特開２００２−９９００３号公報
【特許文献３】特開２０１５−１８０６０号公報
【発明の概要】
【発明が解決しようとする課題】
【０００５】
上述のようなウェアラブル装置に電気泳動パネルを用いた場合、電気泳動パネルは書き替え回数に応じて劣化が進行する特性があるため、電気泳動パネルの画面内で不均一に劣化が進行するおそれがある。例えば、時刻表示において秒は時や分に比べて更新頻度が高いため、秒の表示領域がそれ以外の表示領域に比べて劣化が早く進行し、秒の表示領域の劣化が目立つ（例えば薄いグレーに見える）おそれがある。
【０００６】
本発明の幾つかの態様によれば、電気泳動パネルの画面内での不均一な劣化の進行を低減できるウェアラブル装置及び制御方法等を提供できる。
【課題を解決するための手段】
【０００７】
本発明の一態様は、電気泳動パネルと、前記電気泳動パネルの表示処理を行う処理回路と、を含み、前記処理回路は、ユーザーの活動状態が、第１の状態から前記第１の状態とは異なる第２の状態に遷移したと判断されるとき、前記第１の状態で行う第１の表示処理とは異なる第２の表示処理を行うウェアラブル装置に関係する。
【０００８】
本発明の一態様によれば、活動状態が第１の状態である場合において電気泳動パネルに対する第１の表示処理が行われ、活動状態が第１の状態から第２の状態に遷移したと判断されるとき、電気泳動パネルに対する第２の表示処理が行われる。このようにユーザーの活動状態に応じて異なる表示処理を行うことで、例えば表示更新の回数、或いは画面内での表示更新の回数の不均一性を低減することが可能となる。これにより、電気泳動パネルの画面内での不均一な劣化の進行を低減できるようになる。
【０００９】
また本発明の一態様では、前記処理回路は、前記活動状態が前記第２の状態であると判定されたとき、前記第２の表示処理として、前記電気泳動パネルの表示を更新する表示更新処理を行ってもよい。
【００１０】
このようにすれば、第１の状態において画面全体又は画面の一部の領域において表示更新が行われないようにできるので、電気泳動パネルの画面内での不均一な劣化の進行を低減できる。また、第２の状態において画面全体又は画面の一部の領域において表示更新が行われるので、第２の状態において必要な情報をユーザーに提示できる。
【００１１】
また本発明の一態様では、前記処理回路は、前記活動状態が前記第１の状態から前記第２の状態に遷移したと判定された後、所定の時間が経過したとき、前記表示更新処理を停止してもよい。
【００１２】
このように、第２の状態に遷移したと判定された後、所定の時間が経過したとき、第２の状態であっても表示更新処理を停止することで、表示更新の回数を更に低減できる。これにより、電気泳動パネルの画面内での不均一な劣化の進行を更に低減できる。
【００１３】
また本発明の一態様では、前記処理回路は、前記活動状態が前記第１の状態であると判定されたとき、前記電気泳動パネルに表示される表示オブジェクトの表示更新処理を停止する、又は前記表示オブジェクトの更新頻度を、前記活動状態が前記第１の状態であると判定されたときの第１の更新頻度よりも低い第２の更新頻度に設定してもよい。
【００１４】
このようにすれば、第１の状態において、表示オブジェクトの表示更新処理を停止される、又は、更新頻度が低減されるので、その表示オブジェクトが表示される表示領域の表示更新の回数を低減できる。これにより、電気泳動パネルの画面内での不均一な劣化の進行を低減できる。
【００１５】
また本発明の一態様では、前記処理回路は、前記活動状態が前記第１の状態であると判定されたとき、前記電気泳動パネルに表示される第１の表示オブジェクトと第２の表示オブジェクトのうち、相対的に更新頻度が高い表示オブジェクトの表示更新を停止する、又は前記更新頻度が高い表示オブジェクトの更新頻度を前記第２の更新頻度に設定してもよい。
【００１６】
このようにすれば、第１、第２の表示オブジェクトのうち相対的に更新頻度が高い表示オブジェクトの更新回数を低減することができるので、表示オブジェクト間の更新回数の差を低減することができる。これにより、電気泳動パネルの画面内での不均一な劣化の進行を低減できる。
【００１７】
また本発明の一態様では、前記処理回路は、前記活動状態が前記第１の状態であると判定されたとき、前記電気泳動パネルに所与の静止画像を表示させる、又は表示をオフにしてもよい。
【００１８】
このようにすれば、第１の状態において電気泳動パネルに静止画像が表示され、或いは電気泳動パネルの表示がオフになるので、表示更新の回数を低減できる。これにより、電気泳動パネルの画面内での不均一な劣化の進行を低減できる。また、第１の状態において電気泳動パネルが駆動されないので、表示更新による消費電力を低減できる。
【００１９】
また本発明の一態様では、前記処理回路は、前記活動状態が前記第１の状態であると判定されたとき、前記活動状態が前記第２の状態から前記第１の状態に遷移した際に前記電気泳動パネルに表示された画像の表示を維持してもよい。
【００２０】
このようにすれば、第１の状態において電気泳動パネルの表示更新が停止するので、表示更新の回数を低減できる。これにより、電気泳動パネルの画面内での不均一な劣化の進行を低減できる。また、第１の状態において電気泳動パネルが駆動されないので、表示更新による消費電力を低減できる。
【００２１】
また本発明の一態様では、前記処理回路は、前記活動状態が前記第１の状態であると判定されたとき、前記電気泳動パネルのリフレッシュ処理を行ってもよい。
【００２２】
このようにすれば、例えば目視していない状態、或いは頻繁に目視しないと想定される状態において、リフレッシュ処理を行うことが可能になる。これにより、目視時の表示に影響を与えることなく表示品質を向上できる。また、リフレッシュ処理は画素を駆動するので、第２の状態において表示更新されなかった（或いは更新頻度が低かった）表示領域が、第１の状態において駆動されることになる。これにより、電気泳動パネルの表示更新回数の均一化に寄与すると考えられ、電気泳動パネルの画面内での不均一な劣化の進行を低減できる。
【００２３】
また本発明の一態様では、前記処理回路は、前記活動状態が前記第２の状態であると判定されたとき、前記電気泳動パネルの所与の表示領域に表示される表示オブジェクトの表示更新処理を行い、前記活動状態が前記第１の状態であると判定されたとき、前記所与の表示領域以外の表示領域の前記表示更新処理を行ってもよい。
【００２４】
このようにすれば、所与の表示領域における表示更新回数と、所与の表示領域以外の表示領域における表示更新回数との差が小さくなる。これにより、電気泳動パネルの画面内での不均一な劣化の進行を低減できる。
【００２５】
また本発明の一態様では、前記第２の状態において前記所与の表示領域が表示更新される回数と、前記第１の状態において前記所与の表示領域以外の表示領域が表示更新される回数と、が同じであってもよい。
【００２６】
このようにすれば、所与の表示領域における表示更新回数と、所与の表示領域以外の表示領域における表示更新回数とを一致させることが可能になる。これにより、電気泳動パネルの画面内での不均一な劣化の進行を更に低減できる。
【００２７】
また本発明の一態様では、ウェアラブル装置は、前記表示処理に基づいて前記電気泳動パネルを駆動する駆動回路を含み、前記処理回路は、前記活動状態が前記第１の状態であると判定されたとき、前記駆動回路を動作オフ状態に設定してもよい。
【００２８】
このようにすれば、第１の状態において駆動回路が動作オフ状態に設定されることで、駆動回路の消費電力が低減され、ウェアラブル装置を低消費電力化できる。また、第１の状態において電気泳動パネルの表示更新が行われなくなるので、電気泳動パネルの画面内での不均一な劣化の進行を更に低減できる。
【００２９】
また本発明の一態様では、前記処理回路は、前記電気泳動パネルに表示される第１の表示オブジェクトと第２の表示オブジェクトのうち、相対的に更新頻度が高い表示オブジェクトの表示態様を、前記活動状態が前記第１の状態であると判定されたとき第１の表示態様に設定し、前記活動状態が前記第２の状態であると判定されたとき前記第１の表示態様とは異なる第２の表示態様に設定してもよい。
【００３０】
このようにすれば、相対的に更新頻度が高い表示オブジェクトの表示態様を、ユーザーの活動状態に応じて変更できる。これにより、例えば表示更新の回数、或いは画面内での表示更新の回数の不均一性を低減することが可能となり、電気泳動パネルの画面内での不均一な劣化の進行を低減できるようになる。
【００３１】
また本発明の一態様では、前記処理回路は、前記活動状態が前記第２の状態であると判定されたとき、前記電気泳動パネルに第１の表示コンテンツを表示させ、前記活動状態が前記第１の状態に遷移した後に前記第２の状態に遷移したと判定されたとき、前記電気泳動パネルに前記第１の表示コンテンツとは異なる第２の表示コンテンツを表示させてもよい。
【００３２】
このようにすれば、第２の状態に遷移する度に（例えば電気泳動パネルを目視する度に）表示コンテンツが変化するため、ユーザーがランニング中等においてボタン操作等を行うことなく所与の動作（例えば目視）を行うだけで表示コンテンツを切り替えることが可能になる。
【００３３】
また本発明の一態様では、ウェアラブル装置は、前記電気泳動パネルを照明する光源を含み、前記処理回路は、前記活動状態が前記第１の状態であると判定されたとき、前記光源をオフしてもよい。
【００３４】
このようにすれば、第２の状態において光源がオンになり、第１の状態において光源がオフになるので、照明による消費電力を低減することが可能になる。
【００３５】
また本発明の一態様では、前記第２の状態は、前記ユーザーの活動量が前記第１の状態とは異なる状態であり、前記処理回路は、前記活動状態が前記第１の状態であると判定されたとき、前記電気泳動パネルに第１の表示コンテンツを表示させ、前記活動状態が前記第２の状態であると判定されたとき、前記電気泳動パネルに前記第１の表示コンテンツとは異なる第２の表示コンテンツを表示させてもよい。
【００３６】
このようにすれば、ユーザーの活動量に応じて適切な表示コンテンツを表示することができるようになる。これにより、ユーザーの利便性が向上する。また、表示コンテンツが変化することで、表示更新される表示領域の位置が変わるので、電気泳動パネルの画面内での不均一な劣化の進行が低減されることを期待できる。
【００３７】
また本発明の一態様では、前記第２の状態は、前記ユーザーが前記電気泳動パネルを目視したと判断される状態であり、前記活動状態は、前記ユーザーの活動量が互いに異なる第３の状態と第４の状態とを含み、前記処理回路は、前記活動状態が前記第３の状態と判定されたとき、第１の判定処理で目視の状態を検出し、前記活動状態が前記第４の状態と判定されたとき、前記第１の判定処理とは異なる第２の判定処理で前記目視の状態を検出してもよい。
【００３８】
このようにすれば、ユーザーが電気泳動パネルを目視した状態（第２の状態）であるか否かを、ユーザーの活動量に応じた適切な判定手法で判定できる。これにより、ユーザーが電気泳動パネルを目視した状態であるか否かを正確に判定することが可能になり、目視した際にユーザーに情報が提示されない可能性を低減できる。また、非目視の際に電気泳動パネルの表示更新を停止されない可能性を低減できるので、電気泳動パネルの画面内での不均一な劣化の進行を低減できる。
【００３９】
また本発明の一態様では、前記処理回路は、前記ユーザーに装着されているウェアラブル装置の姿勢及び動きの少なくとも一方に基づいて前記活動状態を判定してもよい。
【００４０】
このようにすれば、ウェアラブル装置の動き及び姿勢の少なくとも一方に基づいてユーザーの活動状態が、第１の状態から第２の状態に遷移したか否かを判定できる。そして、第２の状態に遷移したと判断されるとき、第１の状態で行う第１の表示処理とは異なる第２の表示処理を行うことで、電気泳動パネルの画面内での不均一な劣化の進行を低減することが可能になる。
【００４１】
また本発明の一態様では、前記処理回路は、前記ウェアラブル装置の姿勢及び動きの少なくとも一方に基づいて、前記活動状態を前記ユーザーが前記電気泳動パネルを目視した状態と判定してもよい。
【００４２】
このようにすれば、ユーザーの活動状態が、目視の状態である第２の状態に遷移したか否かを判定できる。そして、目視の状態において第２の表示処理を行うことで、ユーザーに情報を提示できる。一方、非目視の状態である第１の状態において第１の表示処理を行うことで、電気泳動パネルの画面内での不均一な劣化の進行を低減することが可能になる。
【００４３】
また本発明の他の態様は、電気泳動パネルを含むウェアラブル装置の制御方法であって、ユーザーの活動状態が、第１の状態から前記第１の状態とは異なる第２の状態に遷移したと判断されるとき、前記第１の状態で行う第１の表示処理とは異なる第２の表示処理を行う制御方法に関係する。
【図面の簡単な説明】
【００４４】
【図１】本実施形態のウェアラブル装置の構成例。
【図２】ウェアラブル装置の一例としての腕時計型の装置（リスト機器）の構成例。
【図３】活動状態の第１の状態の第１の例。
【図４】活動状態の第２の状態の第１の例。
【図５】活動状態の第１の状態の第２の例。
【図６】活動状態の第２の状態の第２の例。
【図７】本実施形態の表示処理の第１の例。
【図８】本実施形態の表示処理の第２の例。
【図９】本実施形態の表示処理の第３の例。
【図１０】本実施形態の表示処理の第４の例。
【図１１】本実施形態の表示処理の第５の例。
【図１２】本実施形態の表示処理の第６の例。
【図１３】運動状態（第２の状態）において検出された加速度の周波数特性。
【図１４】日常生活状態（第１の状態）において検出された加速度の周波数特性。
【図１５】運動状態において非目視状態と目視状態を判定する手法の説明図。
【発明を実施するための形態】
【００４５】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００４６】
１．構成
図１は、本実施形態のウェアラブル装置の構成例である。ウェアラブル装置１００は、処理回路１１０、電気泳動パネル１４０（電気泳動ディスプレイ）を含む。またウェアラブル装置１００は、加速度センサー１２０、駆動回路１３０（表示ドライバー）、操作部１５０（操作装置）、記憶部１６０（メモリー）、通信部１７０（通信回路、インターフェース）、光源１８０（照明装置）を含むことができる。なお、本実施形態は図１の構成に限定されず、その構成要素の一部を省略したり、他の構成要素を追加したりする等の種々の変形実施が可能である。
【００４７】
ウェアラブル装置１００は、ユーザーが身につける（身体のいずれかの位置に装着する）ことが可能な機器であり、表示部（本実施形態では電気泳動パネル１４０）に表示された情報を、その表示部を目視（視認）したユーザーに提示する機器である。なお、以下ではウェアラブル装置１００を腕に装着する場合を例に説明するが、装着位置は腕に限定されない。また以下ではウェアラブル装置１００が時間情報や時間計測情報（ストップウォッチ機能により計測された情報）を表示する場合を例に説明するが、ウェアラブル装置１００が表示する情報はこれに限定されない。例えば、ウェアラブル装置１００は、脈拍計、歩数計、活動量計等の生体情報検出装置（ウェアラブル健康機器）等であってもよい。
【００４８】
加速度センサー１２０は、ウェアラブル装置１００の加速度を検出するセンサーである。加速度センサー１２０は、ウェアラブル装置１００の動きにより発生する加速度（大きさ、或いは大きさ及び方向）を検出する。また、更に重力加速度（方向）を検出してもよい。例えば、可動部の電極と固定部の電極の間の静電容量の変化を加速度情報として検出する静電容量型の加速度センサーや、ピエゾ素子に取り付けられている重りが変位した際のピエゾ素子の抵抗値を加速度情報として検出するピエゾ抵抗型の加速度センサー等を採用できる。なお、加速度センサーに限らず、ウェアラブル装置１００の動きを検出する体動センサー（モーションセンサー）であれば、どのようなセンサーを採用してもよい。例えば、角速度を検出するジャイロセンサーを採用してもよい。
【００４９】
電気泳動パネル１４０は、電気泳動方式を用いた反射型の表示パネルである。電気泳動方式では、第１電極（光透過性電極、画素電極）と第２電極（対向電極）の間にセルを設け、セルに分散媒（媒質）と帯電粒子を封入し、電極間に電圧を印加することで帯電粒子を移動させる。例えば、帯電粒子が、正電荷を有する白色粒子と、負電荷を有する黒色粒子である場合、第２電極に対して第１電極側を正電圧にすると黒色粒子が第１電極側に移動して黒色表示となり、第２電極に対して第１電極側を負電圧にすると白色粒子が第１電極側に移動して白色表示となる。電気泳動パネル１４０の具体的な構成は種々想定できるが、例えば分散媒及び帯電粒子が封入されたカプセルを電極間に配置するカプセル型や、或いは対向配置された第１基板及び第２基板との間に設けられ、隔壁で複数のセルに区切られた分散媒（帯電粒子を含む）を有する電気泳動層を設ける隔壁型等がある。
【００５０】
駆動回路１３０は、電気泳動パネル１４０を駆動する駆動信号（駆動電圧波形、駆動電圧パターン）を出力する回路である。即ち、電気泳動パネル１４０の各画素の電極に対して、その画素に表示させる階調に対応した駆動信号を出力し、電気泳動パネル１４０に画像を表示させる。駆動回路１３０は、電気泳動パネル１４０の一部の領域を選択し、その領域の画素のみを駆動できるように構成される。例えば、前回書き込んだ画像から更新があった領域のみ書き込み（表示更新）を行う。駆動回路１３０は、例えば集積回路装置により実現される。
【００５１】
操作部１５０は、ユーザーがウェアラブル装置１００を操作するための装置である。例えば、ボタンやタッチパネル等で構成される。
【００５２】
記憶部１６０は、例えばＲＡＭや不揮発性メモリーである。例えば、記憶部１６０は、処理回路１１０のワーキングメモリーや、種々のデータ（例えば加速度センサー１２０が取得した加速度のデータ、或いは生体情報検出装置の場合には検出された生体情報のデータ等）の一時記憶メモリーや、ウェアラブル装置１００の設定情報を記憶するメモリー等として機能する。
【００５３】
通信部１７０は、ウェアラブル装置１００と外部装置（例えば情報処理装置、携帯型情報処理端末等）との間の通信を行う回路である。例えば、通信部１７０を介して外部装置からウェアラブル装置１００に対して設定情報が転送される。或いは、通信部１７０を介してウェアラブル装置１００から外部装置に対して種々のデータ（例えば生体情報検出装置の場合には検出された生体情報のデータ等）が転送される。
【００５４】
光源１８０は、電気泳動パネル１４０を照明するための照明光を発生する光源である。電気泳動パネル１４０は反射型であるため、電気泳動パネル１４０の表示面（透明電極である第１の電極が配置される側）から照明光を照射する。
【００５５】
処理回路１１０は、例えば種々のデータを処理するデータ処理や、ウェアラブル装置１００を制御する制御処理や、電気泳動パネル１４０に画像を表示させる表示処理等を行う。処理回路１１０は、例えばプロセッサーであり、プロセッサーは、デジタル信号を処理する回路及びアナログ信号を処理する回路の少なくとも一方を含む。例えばプロセッサーは、ＭＰＵ（Micro Processing Unit）や、ＣＰＵ（Central Processing Unit）、ＤＳＰ（Digital Signal Processor）等により実現される。この場合、処理回路１１０の機能が記述されたプログラム（命令、ソフトウェア）が記憶部１６０（例えばＲＯＭ、不揮発性メモリー等）に記憶され、そのプログラムを処理回路１１０が読み出して実行することで処理回路１１０の機能が実現される。或いは、プロセッサーは、ＡＳＩＣ（Application Specific Integrated Circuit）等の専用ハードウェアにより実現されてもよい。
【００５６】
図１に示すように、処理回路１１０は、活動状態判定部１１２、表示処理部１１８を含む。処理回路１１０がＭＰＵ等である場合、例えば各部はプログラムモジュールにより実現される。
【００５７】
活動状態判定部１１２は、加速度センサー１２０により検出された加速度に基づいて、ウェアラブル装置１００の動き及び姿勢の少なくとも一方の情報を取得（検出）し、その情報に基づいてウェアラブル装置１００の状態を判定する。具体的には、ウェアラブル装置１００を装着したユーザーの活動状態を判定する。活動状態は、ユーザーがどのような行動を行っているかを判定する行動判定と、ユーザーがウェアラブル装置１００を所与の使用状態で使用しているかを判定する使用状態判定と、を行う。具体的には、活動状態判定部１１２は行動判定を行う行動判定部１１４と、使用状態判定を行う目視判定部１１６（使用状態判定部）とを含む。
【００５８】
なお、以下では行動判定として、ランニング（又はウォーキング）であるか、日常生活状態（非運動状態）であるかを判定する場合を例に説明するが、行動判定はこれに限定されない。例えば、何らかのスポーツを行っている運動状態と、非運動状態とを判定してもよいし、覚醒状態と睡眠状態とを判定してもよい。また以下では、使用状態判定として、ユーザーが電気泳動パネル１４０を目視可能な向きに保持する目視状態を判定する場合を例に説明するが、使用状態判定はこれに限定されない。例えば、ユーザーがウェアラブル装置１００を装着しているか否かを判定してもよい。
【００５９】
表示処理部１１８は、駆動回路１３０を制御して電気泳動パネル１４０に画像を表示させる表示処理（表示制御）を行う。例えば、表示処理部１１８が駆動回路１３０に表示データを送信し、駆動回路１３０が、表示データに対応する駆動電圧波形を生成して電気泳動パネル１４０を駆動する。或いは、表示処理部１１８が、表示データに対応する駆動電圧波形を生成して駆動回路１３０に出力し、駆動回路１３０が、駆動電圧波形を増幅して電気泳動パネル１４０を駆動する。また表示処理部１１８は、電気泳動パネル１４０に表示させる表示コンテンツ（表示内容。例えば、年月日、時分、時間計測情報、生体情報等）を制御する。また表示処理部１１８は、表示コンテンツに基づいて、画像の書き込み（表示更新、画素の駆動）を行う表示領域を設定（制御）する。また表示処理部１１８は、所定タイミング（例えばウェアラブル装置１００の電源をオフする際、駆動回路１３０を動作オフする際等）において電気泳動パネル１４０の全画素に白又は黒を書き込む処理や、所定の静止画像を書き込む処理を行う。また表示処理部１１８は、所定タイミング（例えば所定回数の表示更新ごと、ユーザーが所定の活動状態になった際等）に電気泳動パネル１４０のリフレッシュ処理を行う。
【００６０】
図２に、ウェアラブル装置１００の一例として、腕時計型の装置（リスト機器）の構成例を示す。なお、ウェアラブル装置１００は腕時計型に限定されず、身体の所与の部位に装着する装置であればよい。
【００６１】
図２には、電気泳動パネル１４０の表示面に対する平面視で見たウェアラブル装置１００を図示している。ウェアラブル装置１００は、機器本体２０と、機器本体２０をユーザーの手首（身体の所与の部位）に装着するためのバンド３０（装着器具）と、を含む。
【００６２】
機器本体２０は、ユーザーへの装着側（裏側）の反対側（表側）に開口が設けられたケース４０を有する。ケース４０の開口の外側にはベゼル６２が設けられ、ベゼル６２の内側には、ケース４０の開口を塞ぐように風防板７０（例えばガラス板）が設けられる。ケースの側面には操作ボタン５１〜５４が設けられている。この操作ボタン５１〜５４は、図１の操作部１５０に対応し、操作ボタン５１〜５４を操作することによってウェアラブル装置１００の動作モードや表示コンテンツ等を設定できるようになっている。風防板７０の下（ケース４０内）には、表示面が風防板７０に対向するように電気泳動パネル８０が設けられる。電気泳動パネル８０は図１の電気泳動パネル１４０に対応する。風防板７０の外縁部の風防板７０と電気泳動パネル１４０の間には、見切り板６１（リング状の板）が設けられる。この見切り板６１の開口を介して電気泳動パネル１４０を視認できるようになっている。
【００６３】
図１の処理回路１１０（表示処理部１１８）は、電気泳動パネル１４０の表示面のうち、少なくとも見切り板６１から視認できる領域について、本実施形態の表示処理を実行する。なお、見切り板６１から視認できる領域以外の領域を含めて、表示面の全体について、本実施形態の表示処理が実行されてもよい。
【００６４】
２．動作
上述のように、本実施形態のウェアラブル装置１００は、表示パネルとして電気泳動パネル１４０を用いている。電気泳動パネルは、視認可能な視野角が液晶表示パネル等と比べて広いこと、反射型であるため明るい場所（室外、太陽光下）でも視認性が高いこと等の利点がある。また、電気泳動パネルは画素に対して一旦書き込みを行えば、その書き込まれた階調が維持されるので、同じ表示画像を表示し続ける場合には低消費電力である。
【００６５】
しかしながら、ウェアラブル装置１００がユーザーに提示する情報には更新頻度が比較的高いもの（例えば時刻の秒桁、時間計測（ストップウォッチ機能）の秒桁、脈拍、歩数等）が含まれる。ウェアラブル装置１００は通常、バッテリー又は電池を電源とするため低消費電力であることが望ましく、電気泳動パネルの駆動による消費電力を削減することが望ましい。このため、画像が更新される表示領域だけ表示更新（画素の駆動）を行うことが考えられる。しかしながら、電気泳動パネルは表示更新の回数が多いほど劣化する特性があるため、一部の表示領域を頻繁に表示更新すると、それ以外の表示領域との間で劣化の度合いに差が生じてしまう。例えば、帯電粒子の媒質内での動きが悪くなる、帯電粒子の電荷が変化して駆動信号に対する応答が変化する等の原因で、表示のコントラストが経時的に低下する。このような劣化が生じた場合、頻繁に表示更新した表示領域が、それ以外の表示領域に比べて色が異なって見える（グレーに見える）可能性がある。
【００６６】
そこで本実施形態のウェアラブル装置１００は、電気泳動パネル１４０と、電気泳動パネル１４０の表示処理を行う処理回路１１０（プロセッサー）と、を含み、処理回路１１０は、ユーザーの活動状態が、第１の状態から第１の状態とは異なる第２の状態に遷移したと判断されるとき、第１の状態で行う第１の表示処理とは異なる第２の表示処理を行う。
【００６７】
活動状態が判断される際のユーザーとウェアラブル装置１００の状態は、例えばユーザーがウェアラブル装置１００を装着している状態である。なお、これに限定されず、ユーザーの体動がウェアラブル装置１００に伝達される状態であればよい。例えば、ユーザーがウェアラブル装置１００を所持している状態であってもよい。
【００６８】
図３に、活動状態の第１の状態の第１の例を示す。また図４に、活動状態の第２の状態の第１の例を示す。この例では、ウェアラブル装置１００は腕時計型の装置であり、ユーザー２００の左手首に装着されている。第１の状態は、ユーザー２００がランニング又はウォーキングを行っており、ユーザー２００が自然に腕を振っている状態である。即ち、電気泳動パネル１４０の表示面の向きは、腕の動きに合わせて変化しており、ユーザー２００が表示面を目視していない状態である。一方、第２の状態は、ユーザー２００がランニング又はウォーキングを行っているが、ユーザー２００が電気泳動パネル１４０の表示面を目視できる位置に保持している状態である。
【００６９】
図５に、活動状態の第１の状態の第２の例を示す。また図６に、活動状態の第２の状態の第２の例を示す。この例では、ウェアラブル装置１００は腕時計型の装置であり、ユーザー２００の左手首に装着されている。第１の状態は、ユーザー２００が日常生活状態（非運動状態）である。即ち、運動強度の大きな活動をしておらず、比較的運動強度が小さい（例えば加速度センサーが検出する加速度の平均値が小さい）状態である。一方、第２の状態は、ユーザー２００が運動を行っている状態である。即ち、運動強度の大きな活動（例えば加速度センサーが検出する加速度の平均値が大きい）状態である。図６には、ユーザー２００がランニング又はウォーキングを行っている状態を図示しているが、これに限らず、第１の状態よりも相対的に運動強度が大きい活動であればよい。例えば第１の状態が睡眠状態であり、第２の状態が日常生活状態（覚醒状態）であってもよい。
【００７０】
処理回路１１０の活動状態判定部１１２は、加速度センサー１２０（体動センサー）の検出結果に基づいて、活動状態が第１の状態であるか否か、及び活動状態が第２の状態であるか否かを判定する。そして、活動状態が第１の状態から第２の状態に遷移したと活動状態判定部１１２が判断した場合に、表示処理部１１８が第１の表示処理から第２の表示処理に変更する。例えば、図３、図４の例では、活動状態判定部１１２の目視判定部１１６が、非目視状態であるか否か、目視状態であるか否かを判定する。また図５、図６の例では、活動状態判定部１１２の行動判定部１４が、日常生活状態であるか否か、運動状態であるか否かを判定する。なお、これらの判定手法の詳細については後述する。
【００７１】
第１の表示処理と第２の表示処理は、例えば表示の更新頻度、表示更新を行う領域、表示コンテンツ、表示更新の種類（例えば通常の画像表示、リフレッシュ処理）等の少なくとも１つが異なる表示処理である。より具体的には、第１の表示処理は、電気泳動パネル１４０の劣化の進行（画面内での劣化の進行度合いの差）が第２の表示処理に比べて小さくなるような表示処理である。
【００７２】
図３、図４の例では、第１の状態はユーザー２００がウェアラブル装置１００を見ていない状態であるため、基本的には第２の状態（目視状態）において電気泳動パネル１４０に情報を表示すればよい。また図５、図６の例では、日常生活状態に比べて運動状態の方が、より更新頻度の高い情報、或いは、より多くの内容の情報を表示することが想定できる。このため、第１の状態、第２の状態に応じて表示処理を変更することで、活動状態に応じた適切な表示処理を行い、電気泳動パネル１４０の劣化の進行（画面内での劣化の進行度合いの差）を低減できる。具体的には、第１の状態では電気泳動パネル１４０の劣化の進行を低減させる表示処理（例えば更新頻度の低減等）を行っておき、第１の状態から第２の状態に遷移したと判断された場合、第２の状態で必要な情報を提示する表示処理（例えば更新頻度を上げる等）を行う。このようにして、第１の状態において電気泳動パネル１４０の劣化の進行（画面内での劣化の進行度合いの差）を低減できる。
【００７３】
より具体的には、処理回路１１０は、活動状態が第２の状態であると判定されたとき、第２の表示処理として、電気泳動パネル１４０の表示を更新する表示更新処理を行う。
【００７４】
表示更新処理は、電気泳動パネル１４０の画素を駆動する（階調の書き込み、或いは書き替えを行う）処理である。画素の駆動は電気泳動パネル１４０の画面全体に対して行ってもよいし、或いは画面の一部の領域においてのみ行ってもよい。例えば、表示更新処理は、白表示又は黒表示から通常の表示（画像、文字等の表示）への移行、リフレッシュ処理から通常の表示への移行等である。また、駆動回路１３０が動作オフ状態から動作状態に移行することによって表示更新が行われる場合も、表示更新処理に相当する。
【００７５】
このようにすれば、第１の状態において画面全体又は画面の一部の領域において表示更新が行われないので、電気泳動パネル１４０の劣化の進行（画面内での劣化の進行度合いの差）を低減できる。また、第２の状態において画面全体又は画面の一部の領域において表示更新が行われるので、第２の状態において必要な情報をユーザーに提示できる。
【００７６】
また本実施形態では、処理回路１１０は、活動状態が第１の状態から第２の状態に遷移したと判定された後、所定の時間が経過したとき、表示更新処理を停止する。
【００７７】
所定の時間は、第２の状態がどのような状態であるかに関わらず一定の時間であってもよいし、第２の状態がどのような状態であるかに応じて異なる時間であってもよい。例えば、図４の目視状態に遷移した後、第１の所定の時間が経過したとき、表示更新処理を停止し、図６の運動状態に遷移した後、第１の所定の時間とは異なる第２の所定の時間が経過したとき、表示更新処理を停止してもよい。また、図５の日常生活状態を第３の状態とし、図６の運動状態を第４の状態とした場合に、日常生活状態において非目視状態（第１の状態）から目視状態（第２の状態）に遷移した後、第１の所定の時間が経過したとき、表示更新処理を停止し、運動状態において非目視状態から目視状態に遷移した後、第１の所定の時間とは異なる第２の所定の時間が経過したとき、表示更新処理を停止してもよい。
【００７８】
このように、第２の状態に遷移したと判定された後、所定の時間が経過したとき、第２の状態であっても表示更新処理を停止することで、電気泳動パネル１４０の劣化の進行（画面内での劣化の進行度合いの差）を更に低減できる。また、表示更新処理を行う時間が短くなるので、表示更新による消費電流を削減でき、ウェアラブル装置１００を低消費電力化できる。なお、表示更新処理を停止すると共に更に駆動回路１３０を動作オフ状態に設定してもよい。このようにすれば、更にウェアラブル装置１００を低消費電力化できる。
【００７９】
また本実施形態では、処理回路１１０は、活動状態が第１の状態であると判定されたとき、電気泳動パネル１４０に表示される表示オブジェクトの表示更新処理を停止する、又は、表示オブジェクトの更新頻度を、活動状態が第１の状態であると判定されたときの第１の更新頻度よりも低い第２の更新頻度に設定する。
【００８０】
表示オブジェクトは、電気泳動パネル１４０の画面内に表示されるオブジェクトであり、そのオブジェクトに対応した所与の表示領域に表示されるオブジェクトである。例えば、時刻表示の時、分、秒が、それぞれ表示オブジェクトに相当し、これらの表示オブジェクトの組み合わせによって時刻表示という表示コンテンツが構成される。なお、表示オブジェクトは、これに限定されず、文字、記号、画像、マーク等、種々のものを想定できる。
【００８１】
本実施形態によれば、第１の状態において、表示オブジェクトの表示更新処理を停止される、又は、更新頻度が低減されるので、電気泳動パネル１４０の劣化の進行（画面内での劣化の進行度合いの差）を低減できる。
【００８２】
また本実施形態では、処理回路１１０は、活動状態が第１の状態であると判定されたとき、電気泳動パネル１４０に表示される第１の表示オブジェクトと第２の表示オブジェクトのうち、相対的に更新頻度が高い表示オブジェクトの表示更新を停止する、又はその更新頻度が高い表示オブジェクトの更新頻度を第２の更新頻度に設定する。第２の更新頻度は、相対的に更新頻度が高い表示オブジェクトの第１の状態における第１の更新頻度よりも低い更新頻度である。
【００８３】
図７は、本実施形態の表示処理の第１の例である。なお、図７に示す点線の四角は説明のために図示するものであり、実際に表示されるものではない。図７には、一例として、例えばランニング等においてラップタイム、スプリットタイム等の計測時間を表示する時間計測画面を示している。計測時間は、時、分、秒の情報を含んでおり、このうち秒は、時や分に比べて更新頻度が高い表示オブジェクトである。この場合、図７のＡ２に示すように、第２の状態では秒を表示して１秒ごとに秒表示を更新し、Ａ１に示すように、第１の状態では秒の表示更新を停止する。図７では、秒の表示領域を白表示とした後に秒の表示更新を停止する場合を図示しているが、例えば秒の表示領域を白表示にせずに秒の表示更新を停止し、第２の状態から第１の状態に遷移した際の秒の数値がそのまま表示し続けられるようにしてもよい。また、第１の状態において秒の表示更新を停止せずに、更新頻度を低下させてもよい。例えば、第２の状態では１秒ごとに秒表示を更新し、第１の状態では１０秒毎に秒表示を更新してもよい。
【００８４】
本実施形態によれば、複数の表示オブジェクトのうち相対的に更新頻度が高い表示オブジェクトの更新回数を低減することができるので、表示オブジェクト間の更新回数の差を低減することができる。これにより、電気泳動パネル１４０の劣化の進行（画面内での劣化の進行度合いの差）を低減できる。
【００８５】
また本実施形態では、処理回路１１０は、活動状態が第１の状態であると判定されたとき、電気泳動パネル１４０に所与の静止画像を表示させる、又は表示をオフにしてもよい。
【００８６】
図８は、本実施形態の表示処理の第２の例である。図８では、第２の状態において時計及びカレンダー（例えば月、日、曜日）の表示を行い、第２の状態から第１の状態に遷移した際に所与の静止画像に表示更新し、以降は第１の状態において表示更新を行わない（所与の静止画像が表示されたまま維持される）。図８では、所与の静止画像として文字の画像を表示しているが、これに限定されず、模様や写真等の画像を表示してもよい。
【００８７】
図９は、本実施形態の表示処理の第３の例である。図９では、第２の状態において時計及びカレンダーの表示を行い、第２の状態から第１の状態に遷移した際に画面全体を白表示に更新し、以降は第１の状態において表示更新を行わない（白表示のまま維持される）。表示オフは白表示に限定されず、文字や絵、模様、図形、写真等の画像が表示されていない状態であればよい。例えば、黒表示や、画面全体が単一階調の表示等であってもよい。
【００８８】
本実施形態によれば、第１の状態において電気泳動パネル１４０に静止画像が表示され、或いは電気泳動パネル１４０の表示がオフになるので、電気泳動パネル１４０の劣化の進行（画面内での劣化の進行度合いの差）を低減できる。また、第１の状態において電気泳動パネル１４０が駆動されないので、表示更新による消費電力を低減できる。
【００８９】
また本実施形態では、処理回路１１０は、活動状態が第１の状態であると判定されたとき、活動状態が第２の状態から第１の状態に遷移した際に電気泳動パネル１４０に表示された画像の表示を維持してもよい。
【００９０】
即ち、処理回路１１０は、活動状態が第２の状態から第１の状態に遷移した際に表示更新を停止し、それ以降は第１の状態において表示更新を行わない。これにより、結果的に、第２の状態から第１の状態に遷移した際に電気泳動パネル１４０に表示された画像の表示が維持されることになる。例えば、第２の状態において時計及びカレンダーを表示していた場合、第２の状態から第１の状態に遷移した際の時計及びカレンダーの表示が、更新されることなく、そのまま維持される。
【００９１】
本実施形態によれば、第１の状態において電気泳動パネル１４０の表示更新が停止するので、電気泳動パネル１４０の劣化の進行（画面内での劣化の進行度合いの差）を低減できる。また、第１の状態において電気泳動パネル１４０が駆動されないので、表示更新による消費電力を低減できる。
【００９２】
また本実施形態では、処理回路１１０は、活動状態が第１の状態であると判定されたとき、電気泳動パネル１４０のリフレッシュ処理を行ってもよい。
【００９３】
リフレッシュ処理は、電気泳動パネル１４０のセル内の粒子の位置を、所与の位置に戻す（リフレッシュ、初期化）する処理であり、例えば所定の駆動電圧波形（例えば白黒の交互書き込み）を電気泳動パネル１４０の画素に印加することで実現される。
【００９４】
電気泳動パネル１４０では、ある階調を画素に書き込んだ際に、その前に書き込まれていた画素の階調に依存して、実際に書き込まれた階調が変化する（誤差をもつ）可能性がある。このため、秒表示等の更新を繰り返した表示領域では、コントラストが低下したり、ゴーストが発生したりする可能性がある。本実施形態によれば、目視していない状態（或いは、頻繁に目視しないと想定される日常生活状態）においてリフレッシュ処理を行うことができ、目視時の表示に影響を与えることなく表示品質を向上できる。また、リフレッシュ処理は画素を駆動するので、第２の状態において表示更新されなかった（或いは更新頻度が低かった）表示領域が、第１の状態において駆動されることになる。これにより、リフレッシュ処理は、電気泳動パネル１４０の表示更新回数の均一化に寄与し、電気泳動パネル１４０の劣化の進行（画面内での劣化の進行度合いの差）が低減されると期待できる。
【００９５】
また本実施形態では、処理回路１１０は、活動状態が第２の状態であると判定されたとき、電気泳動パネル１４０の所与の表示領域に表示される表示オブジェクトの表示更新処理を行い、活動状態が第１の状態であると判定されたとき、所与の表示領域以外の表示領域の表示更新処理を行ってもよい。例えば、第２の状態から第１の状態に遷移したと判定されたとき、所与の表示領域以外の表示領域の表示更新処理を行う。
【００９６】
例えば、図７では、Ａ２に示す秒の表示領域（点線四角の内側）が、所与の表示領域である。この場合、第１の状態において、秒の表示領域以外の表示領域（点線四角の外側）を表示更新する。例えば、秒の表示領域以外の表示領域に対して所定回数の白表示、黒表示を行った後、元の画像を再び書き込む。或いは、秒の表示領域以外の表示領域に対してリフレッシュ処理を行った後、元の画像を再び書き込む。
【００９７】
本実施形態によれば、所与の表示領域における表示更新回数と、所与の表示領域以外の表示領域における表示更新回数との差が小さくなる。これにより、電気泳動パネル１４０の劣化の進行（画面内での劣化の進行度合いの差）を低減できる。
【００９８】
また本実施形態では、第２の状態において所与の表示領域が表示更新される回数と、第１の状態において所与の表示領域以外の表示領域が表示更新される回数とが同じである。
【００９９】
１回の表示更新は、１つの階調を１回書き込む（その階調に対応する駆動電圧波形を画素に１回印加する）ことに対応する。リフレッシュ処理の場合、１回のリフレッシュ処理を１回の表示更新としてもよいし、白黒の繰り返しの１つ１つを１回の表示更新としてもよい。
【０１００】
本実施形態によれば、所与の表示領域における表示更新回数と、所与の表示領域以外の表示領域における表示更新回数とを一致させることが可能になる。これにより、電気泳動パネル１４０の劣化の進行（画面内での劣化の進行度合いの差）を更に低減できる。
【０１０１】
また本実施形態では、ウェアラブル装置１００は、表示処理に基づいて電気泳動パネル１４０を駆動する駆動回路１３０を含む。そして、処理回路１１０は、活動状態が第１の状態であると判定されたとき、駆動回路１３０を動作オフ状態に設定してもよい。
【０１０２】
動作オフ状態は、例えば駆動回路１３０が電気泳動パネル１４０を駆動しない状態（例えば出力がハイインピーダンス、或いは一定電圧の状態）、或いは駆動回路１３０にバイアス電流が供給されない状態、或いは駆動回路１３０のバイアス電流が低減された状態である。なお、所与の表示更新（例えば白表示、黒表示、所与の静止画像の表示）を行ってから駆動回路１３０を動作オフ状態に設定してもよいし、表示更新をせずに駆動回路１３０を動作オフ状態に設定してもよい（後者では、動作オフ状態に設定される直前の表示が維持される）。
【０１０３】
本実施形態によれば、第１の状態において駆動回路１３０が動作オフ状態に設定されることで、駆動回路１３０の消費電力が低減され、ウェアラブル装置１００を低消費電力化できる。また、第１の状態において電気泳動パネル１４０の表示更新が行われなくなるので、電気泳動パネル１４０の劣化の進行（画面内での劣化の進行度合いの差）を低減できる。
【０１０４】
また本実施形態では、処理回路１１０は、電気泳動パネル１４０に表示される第１の表示オブジェクトと第２の表示オブジェクトのうち、相対的に更新頻度が高い表示オブジェクトの表示態様を、活動状態が第１の状態であると判定されたとき第１の表示態様に設定し、活動状態が第２の状態であると判定されたとき第１の表示態様とは異なる第２の表示態様に設定してもよい。
【０１０５】
表示態様は、ユーザーに提示しようとする内容の提示の仕方（態様）である。表示態様が異なるとは、ユーザーに提示しようとする内容は基本的に同じであるが、その提示の仕方（態様）が異なるということである。具体的には、第１の表示態様は、電気泳動パネル１４０の劣化の進行（画面内での劣化の進行度合いの差）が第２の表示態様に比べて小さくなるような表示態様である。
【０１０６】
図１０は、本実施形態の表示処理の第４の例である。なお、図１０に示す点線の四角は説明のために図示するものであり、実際に表示されるものではない。図１０の例は、時、分、秒が表示されており、そのうち秒が最も更新頻度が高い表示オブジェクトである。図１０のＢ２に示すように、第２の状態では秒が数字で表示され、その数字が１秒ごとに更新される。一方、第１の状態では、Ｂ１に示すように秒の数字表示がオフになり（例えば秒の表示領域が白表示になり）、Ｂ３に示すように画面の外縁部（外縁の内周）に沿って周回するようにドット（黒丸）が表示される。例えば、１秒に１ドットずつ時計回りにドットが追加されていく。或いは、白抜きのドット（白丸）が画面の外縁部に沿って予め表示され、１秒に１ドットずつ時計回りにドットが黒丸に変化していく。
【０１０７】
本実施形態によれば、相対的に更新頻度が高い表示オブジェクトの表示態様を第１の状態と第２の状態で異ならせることで、ユーザーが目視しない（又は目視の頻度が低いと想定される）第１の状態において、電気泳動パネル１４０の劣化の進行（画面内での劣化の進行度合いの差）が小さい表示態様を設定できる。例えば図１０の例では、１つのドットは６０秒に１回しか表示更新されないので、秒の数字表示に比べて更新頻度が低下する。また、秒の数字表示とは異なる領域にドットを表示するので、表示更新する領域が分散される。また本実施形態によれば、ユーザーが目視する（又は目視の頻度が高いと想定される）第２の状態において、適切な表示態様を設定できる。例えば図１０の例では、秒が数字で表示されるので、ユーザーが正確な秒数を認識しやすくなる。
【０１０８】
また本実施形態では、処理回路１１０は、活動状態が第２の状態であると判定されたとき、電気泳動パネル１４０に第１の表示コンテンツを表示させ、活動状態が第１の状態に遷移した後に第２の状態に遷移したと判定されたとき、電気泳動パネル１４０に第１の表示コンテンツとは異なる第２の表示コンテンツを表示させる。
【０１０９】
図１１は、本実施形態の表示処理の第５の例である。図１１に示すように、１回目の第２の状態ではラップペース（ラップタイム）が表示されている。ラップペースは、所定距離（又はトラック１周）を通過するのにかかった時間である。第１の状態に遷移すると表示更新が停止され、ラップペースの表示が維持される。２回目の第２の状態に遷移すると、スプリットタイムが表示される。スプリットタイムは、スタート地点から現在地点まで通過するのにかかった時間である。第２の状態の間はスプリットタイムが更新され、第１の状態に遷移すると表示更新が停止され、その直前のスプリットタイムの表示が維持される。３回目の第２の状態に遷移すると、スタート地点から現在地点までの距離が表示される。例えば、ウェアラブル装置１００が不図示の測位装置（例えばＧＰＳ（Global Positioning System）等）を有し、処理回路１１０が、その測位装置の測位結果に基づいて距離を算出する。或いは、処理回路１１０が、加速度センサー１２０の検出結果により歩数を計測し、その歩数に基づいて距離を算出（推定）する。第１の状態に遷移すると表示更新が停止され、距離の表示が維持される。４回目の第２の状態では、例えばラップペースの表示に戻る。
【０１１０】
本実施形態によれば、第２の状態に遷移する度に（例えば電気泳動パネル１４０を目視する度に）表示コンテンツが変化するため、ユーザーがランニング中等においてボタン操作等を行うことなく所与の動作（例えば目視）を行うだけで表示コンテンツを切り替えることが可能になる。また、第１の状態において表示更新が停止されるので、電気泳動パネル１４０の劣化の進行（画面内での劣化の進行度合いの差）を低減できる。
【０１１１】
また本実施形態では、ウェアラブル装置１００は、電気泳動パネル１４０を照明する光源１８０を含む。そして処理回路１１０は、活動状態が第１の状態であると判定されたとき、光源１８０をオフしてもよい。
【０１１２】
図１２は、本実施形態の表示処理の第６の例である。第１の状態では、光源１８０がオフされ、電気泳動パネル１４０の表示面が照明されていない。図１２では、ハッチングにより、照明されていない状態を表している。第２の状態では、光源１８０がオンされ、電気泳動パネル１４０の表示面が照明されている。例えば、電気泳動パネル１４０の表示面の外縁（例えば図２のベゼル６２の下）に導光体が設けられ、光源１８０からの光が導光体により表示面に照射されるようになっている。
【０１１３】
本実施形態によれば、第２の状態において光源１８０がオンになり、第１の状態において光源１８０がオフになるので、照明による消費電力を低減することが可能になる。なお、第１の状態から第２の状態に遷移した後、所定の時間が経過したときに光源１８０をオフしてもよい。このようにすれば、更に低消費電力化できる。
【０１１４】
また本実施形態では、第２の状態は、ユーザーの活動量が第１の状態とは異なる状態であり、処理回路１１０は、活動状態が第１の状態であると判定されたとき、電気泳動パネル１４０に第１の表示コンテンツを表示させ、活動状態が第２の状態であると判定されたとき、電気泳動パネル１４０に第１の表示コンテンツとは異なる第２の表示コンテンツを表示させてもよい。
【０１１５】
ユーザーの活動量が異なる状態は、例えば図５、図６で説明した日常生活状態と運動状態のように、運動強度が異なる状態である。なお、日常生活状態と運動状態に限定されず、例えば睡眠状態と日常生活状態（覚醒状態）であってもよい。詳細は後述するが、例えば加速度センサー１２０の検出結果に基づいてユーザーの活動量が異なる第１、第２の状態を判定できる。
【０１１６】
例えば、第２の状態は、第１の状態よりも活動量が大きい状態である。この場合、第１の状態では活動量が小さい場合にユーザーに提示することが望ましい表示コンテンツを電気泳動パネル１４０に表示させ、第２の状態では活動量が大きい場合にユーザーに提示することが望ましい表示コンテンツを電気泳動パネル１４０に表示させる。例えば第１の状態が日常生活状態の場合、例えば時計及びカレンダーを表示させ、第２の状態が運動状態の場合、時間計測画面（ラップペース、スプリットタイム等）を表示させる。
【０１１７】
本実施形態によれば、ユーザーの活動量に応じて適切な表示コンテンツを表示することができるようになる。これにより、ユーザーの利便性が向上する。また、表示コンテンツが変化することで、表示更新される表示領域の位置が変わるので、電気泳動パネル１４０の劣化の進行（画面内での劣化の進行度合いの差）が低減されることを期待できる。
【０１１８】
また本実施形態では、第２の状態は、ユーザーが電気泳動パネル１４０を目視したと判断される状態であり、活動状態は、ユーザーの活動量が互いに異なる第３の状態と第４の状態とを含む。そして、処理回路１１０は、活動状態が第３の状態と判定されたとき、第１の判定処理で目視の状態（第２の状態）を検出し、活動状態が第４の状態と判定されたとき、第１の判定処理とは異なる第２の判定処理で目視の状態（第２の状態）を検出してもよい。
【０１１９】
例えば、第３の状態は図５の日常生活状態であり、第４の状態は図６の運動状態である。この場合、日常生活状態と運動状態とで目視判定（ユーザーが電気泳動パネル１４０を目視しているか否かの判定）の手法を異ならせる。例えば、日常生活状態では、加速度センサー１２０により検出される重力加速度の方向に基づいて目視判定を行い、重力加速度の方向が所定の角度範囲内である（ウェアラブル装置１００が所与の姿勢範囲内である）場合に目視状態（第２の状態）であると判定する。一方、運動状態では、加速度センサー１２０により検出される腕振り（ユーザーの動き）に基づいて目視判定を行い、腕振りが検出されない場合に目視状態であると判定する。
【０１２０】
本実施形態によれば、ユーザーが電気泳動パネル１４０を目視した第２の状態であるか否かを、ユーザーの活動量に応じた適切な判定手法で判定できる。これにより、ユーザーが電気泳動パネル１４０を目視した第２の状態であるか否かを正確に判定することが可能になり、目視した際にユーザーに情報が提示されない可能性を低減できる。また、非目視の際に電気泳動パネル１４０の表示更新を停止されない可能性を低減できるので、電気泳動パネル１４０の劣化の進行（画面内での劣化の進行度合いの差）を低減できる。
【０１２１】
なお、以上では本実施形態のウェアラブル装置１００の構成及び動作について説明したが、その手法を、ウェアラブル装置１００の制御方法として実行することも可能である。即ち、電気泳動パネル１４０を含むウェアラブル装置１００の制御方法であって、ユーザーの活動状態が、第１の状態から第１の状態とは異なる第２の状態に遷移したと判断されるとき、第１の状態で行う第１の表示処理とは異なる第２の表示処理を行う制御方法として実行してもよい。例えば、各ステップはウェアラブル装置１００或いは処理回路１１０が実行する。
【０１２２】
３．活動状態を判定する手法
以下、日常生活状態と運動状態を判定（検出）する手法について説明する。以下に説明する手法は、そのいずれかを用いてもよいし、複数の手法を組み合わせ用いてもよい。
【０１２３】
第１の手法は、加速度センサー１２０により検出された加速度の大きさを閾値判定する手法である。即ち、加速度の大きさが第１の閾値より大きい場合に運動状態（第２の状態）と判定し、加速度の大きさが、第１の閾値よりも小さい第２の閾値よりも小さい場合に日常生活状態（第１の状態）と判定する。
【０１２４】
第２の手法は、加速度センサー１２０により検出された加速度のヒストグラムに基づいて判定する手法である。ヒストグラムは、例えば加速度の大きさのヒストグラムであってもよいし、或いは加速度の大きさ及び向きのヒストグラムであってもよい。例えば、ヒストグラムのピーク（ヒストグラムの標本数が最大の加速度）や、或いはヒストグラムの形状が、日常生活状態の判定条件を満たすか否か、運動状態の判定条件を満たすか否かを判定する。
【０１２５】
第３の手法は、加速度センサー１２０により検出された加速度の周波数特性に基づいて判定する手法である。ここでは、ランニングやウォーキング等の周期的な動きを伴う運動状態を例に説明するが、これに限定されず、日常生活状態と運動状態とで加速度の周波数特性が異なる場合であれば、本手法を適用できる。
【０１２６】
図１３は、運動状態（第２の状態）において検出された加速度の周波数特性である。図１４は、日常生活状態（第１の状態）において検出された加速度の周波数特性である。これらの周波数特性は、加速度センサー１２０により検出された時系列の加速度をフーリエ変換したものである。
【０１２７】
図１３に示すように、運動状態では、ランニングやウォーキングの腕振りにより加速度に周期性があるため、その周期に対応する周波数に周波数特性のピークがある。このピークでの強度（周波数成分の大きさ）は、それ以外の周波数での強度に比べて非常に大きくなる。一方、図１４に示すように、日常生活状態では、加速度の周期性が小さいため、周波数特性の最大のピークでの強度と、それ以外の周波数での強度との差が、運動状態に比べて小さい。このような差を判定することで、日常生活状態と運動状態を区別できる。例えば、最大ピークとその他のピークの差分が閾値を超えた場合に運動状態と判定してもよいし、或いは、閾値を超えるピークが存在する場合に運動状態と判定してもよい。
【０１２８】
第４の手法は、所与の判定回数を満たした場合に、最終的に状態が遷移したと判定する手法である。即ち、日常生活状態において、運動状態とＮ回判定された場合に、最終的に運動状態に遷移したと判定する。また運動状態において、日常生活状態とＭ回判定された場合に、最終的に日常生活状態に遷移したと判定する。各回の判定には第１〜第３の手法のいずれを用いてもよい。Ｎ、Ｍは１以上の整数であり、ＮとＭが同数であってもよいし、異なる数であってもよい。
【０１２９】
なお、以上では加速度センサー１２０により検出された加速度を動きの評価値として用いる場合を例に説明したが、動きの評価値はこれに限定されない。例えば、体動センサーとしてジャイロセンサーを用いた場合、角速度を動きの評価値としてもよい。或いは、加速度又は角速度を処理して求めた値を動きの評価値としてもよい。或いは、ウェアラブル装置１００が不図示の脈拍センサーを含み、その脈拍センサーにより検出される脈拍に基づいて日常生活状態と運動状態を判定してもよい。
【０１３０】
次に、非目視状態と目視状態を判定（検出）する手法について説明する。なお、以下では運動状態と日常生活状態で異なる判定手法を用いる場合を例に説明するが、これに限定されず、運動状態と日常生活状態で同じ判定手法（例えばウェアラブル装置１００の姿勢に基づく検出）を用いてもよい。
【０１３１】
図１５は、運動状態において非目視状態と目視状態を判定する手法の説明図である。ランニング又はウォーキングを行っている運動状態では、図１５のＳ１〜Ｓ３に示すように、腕振り等の周期性がある動きによって加速度に周期的なピークが生じる。ユーザーが腕振りをしている第１の状態（非目視状態）では、ピークが大きくなるので、加速度（のピーク）が第１の閾値より大きくなった場合に第１の状態（非目視状態）であると判定する。一方、Ｓ４に示すように、加速度（のピーク）が第２の閾値より小さくなった場合に第２の状態（目視状態）であると判定する。第２の閾値は、第１の閾値よりも小さい値である。
【０１３２】
日常生活状態では、上記のような動きの周期性が明確でないので、ウェアラブル装置１００の姿勢に基づいて非目視状態と目視状態を判定する。例えば、加速度センサー１２０は、ＸＹＺの３軸の加速度を検出するセンサーである。例えばＺ軸は電気泳動パネル１４０の表示面の法線方向に沿った軸であり、Ｘ軸、Ｙ軸は、Ｚ軸に直交すると共に互いに直交する軸である。日常生活状態では動きによる加速度が小さいと考えられるので、３軸の加速度は重力加速度の加速度ベクトルと考えることができる。この重力加速度の加速度ベクトルの方向（ＸＹＺの各軸と加速度ベクトルとが成す角度）に基づいて非目視状態と目視状態を判定する。ユーザーが起立した（少なくとも上体を起こした）状態で電気泳動パネル１４０を目視した場合、電気泳動パネル１４０の表示面がおおよそ鉛直上方向を向く（重力加速度が−Ｚ方向を向く）と予想される。このため、−Ｚ方向を中心として所定の角度範囲（姿勢範囲）に重力加速度が入っていると判定した場合に、目視状態と判定する。
【０１３３】
以上のように、本実施形態では、処理回路１１０は、ユーザーに装着されているウェアラブル装置１００の動き及び姿勢の少なくとも一方に基づいて活動状態を判定する。
【０１３４】
このようにすれば、ウェアラブル装置１００の動き及び姿勢の少なくとも一方に基づいてユーザーの活動状態が、第１の状態から第２の状態に遷移したか否かを判定できる。そして、第２の状態に遷移したと判断されるとき、第１の状態で行う第１の表示処理とは異なる第２の表示処理を行うことで、電気泳動パネル１４０の劣化の進行（画面内での劣化の進行度合いの差）を低減することが可能になる。
【０１３５】
また本実施形態では、処理回路１１０は、ウェアラブル装置１００の動き及び姿勢の少なくとも一方に基づいて、活動状態を、ユーザーが電気泳動パネル１４０を目視した状態と判定する。即ち、処理回路１１０は、ウェアラブル装置１００の動き及び姿勢の少なくとも一方に基づいて、ユーザーが電気泳動パネル１４０を目視したと判断されるとき、活動状態が第２の状態であると判定する。
【０１３６】
即ち、動き及び姿勢の少なくとも一方は、ユーザーが電気泳動パネル１４０を目視したときに所与の条件を満たし、処理回路１１０は、動き及び姿勢の少なくとも一方が、その所与の条件を満たしたと判定した場合に、活動状態が第２の状態であると判定する。
【０１３７】
このようにすれば、ユーザーの活動状態が、目視状態である第２の状態に遷移したか否かを判定できる。そして、目視状態において第２の表示処理を行うことで、ユーザーに情報を提示できる。一方、非目視状態である第１の状態において第１の表示処理を行うことで、電気泳動パネル１４０の劣化の進行（画面内での劣化の進行度合いの差）を低減することが可能になる。
【０１３８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また処理回路、ウェアラブル装置等の構成及び動作等や、ウェアラブル装置の制御方法等も、本実施形態で説明したものに限定されず、種々の変形実施が可能である。
【符号の説明】
【０１３９】
１４…行動判定部、２０…機器本体、３０…バンド、４０…ケース、
５１〜５４…操作ボタン、６１…見切り板、６２…ベゼル、７０…風防板、
８０…電気泳動パネル、１００…ウェアラブル装置、１１０…処理回路、
１１２…活動状態判定部、１１６…目視判定部、１１８…表示処理部、
１２０…加速度センサー、１３０…駆動回路、１４０…電気泳動パネル、
１５０…操作部、１６０…記憶部、１７０…通信部、１８０…光源、２００…ユーザー
【図１】
2019007751.tif 000003
【図２】
2019007751.tif 000004
【図３】
2019007751.tif 000005
【図４】
2019007751.tif 000006
【図５】
2019007751.tif 000007
【図６】
2019007751.tif 000008
【図７】
2019007751.tif 000009
【図８】
2019007751.tif 000010
【図９】
2019007751.tif 000011
【図１０】
2019007751.tif 000012
【図１１】
2019007751.tif 000013
【図１２】
2019007751.tif 000014
【図１３】
2019007751.tif 000015
【図１４】
2019007751.tif 000016
【図１５】
2019007751.tif 000017